(57)【要約】【課題】  高い利便性を有する記録装置、記録装置の制御方法、記録システム、及び装着型情報処理装置を提供することを目的とする。【解決手段】  一実施形態に係る記録装置は、連携機器と通信する通信部と、主データを取得する第１の取得部と、前記連携機器から副データを取得する第２の取得部と、前記主データと前記副データとを１つのファイルとして記録する記録部と、を具備する。【選択図】      図２
2020014239.tif 000002
【特許請求の範囲】
【請求項１】
連携機器と通信する通信部と、
主データを取得する第１の取得部と、
前記連携機器から副データを取得する第２の取得部と、
前記主データと前記副データとを１つのファイルとして記録する記録部と、
を具備し、
前記第２の取得部は、前記連携機器において取得可能な前記副データの一覧を取得し、前記一覧から前記第２の取得部が取得する前記副データを選択する記録装置。
【発明の詳細な説明】
【技術分野】
【０００１】
本発明は、記録装置、記録装置の制御方法、記録システム、装着型情報処理装置、及びプログラムに関する。
【背景技術】
【０００２】
人物が装着する装着型情報処理装置（ウェアラブル装置）が一般的に普及している。例えば、特許文献１に記載されているように、装着者にかかる音声を集音し、装着者の作業に対応した動作モードを設定し、装着者の操作に応じて、集音された音声データを、設定された動作モードに対応づけて記録するウェアラブル装置が実用化されている。
【先行技術文献】
【特許文献】
【０００３】
【特許文献１】特開２０１１−０１４０８１号公報
【発明の概要】
【発明が解決しようとする課題】
【０００４】
ウェアラブル装置は、装着者の情報（例えば生体情報など）を取得する機能を有する。また、ウェアラブル装置と通信可能に構成された記録装置も一般的に実用化されている。記録装置は、画像、音声、または他の何らかのデータを主データとして記録する装置である。このような記録装置において、ウェアラブル装置から情報を取得し、関連づけて処理することが重要である。
【０００５】
本発明は、高い利便性を有する記録装置、記録装置の制御方法、記録システム、装着型情報処理装置、及びプログラムを提供することを目的とする。
【課題を解決するための手段】
【０００６】
一実施形態に係る記録装置は、連携機器と通信する通信部と、主データを取得する第１の取得部と、前記連携機器から副データを取得する第２の取得部と、前記主データと前記副データとを１つのファイルとして記録する記録部と、を具備し、前記第２の取得部は、前記連携機器において取得可能な前記副データの一覧を取得し、前記一覧から前記第２の取得部が取得する前記副データを選択する。
【発明の効果】
【０００７】
高い利便性を有する記録装置、記録装置の制御方法、記録システム、装着型情報処理装置、及びプログラムを提供することができる。
【図面の簡単な説明】
【０００８】
【図１】図１は、一実施形態に係る撮像システムの例について説明する為の説明図である。
【図２】図２は、一実施形態に係る撮像装置の構成の例について説明する為の説明図である。
【図３】図３は、一実施形態に係るウェアラブル装置の構成の例について説明する為の説明図である。
【図４】図４は、一実施形態に係る撮像装置のモード選択に関する処理について説明する為の説明図である。
【図５】図５は、一実施形態に係る撮像装置による連携撮影処理の例について説明する為の説明図である。
【図６】図６は、取得する生体情報をユーザに選択させる処理の例について説明する為の説明図である。
【図７】図７は、一実施形態に係るウェアラブル装置の動作の例について説明する為の説明図である。
【図８】図８は、一実施形態に係る画像ファイルの例について説明する為の説明図である。
【図９】図９は、一実施形態に係る画像ファイルに含まれる副データの活用の例について説明する為の説明図である。
【図１０】図１０は、一実施形態に係る画像ファイルに含まれる副データの活用の例について説明する為の説明図である。
【図１１】図１１は、他の実施形態に係る撮像システムの例について説明する為の説明図である。
【図１２】図１２は、他の実施形態に係る撮像装置の構成の例について説明する為の説明図である。
【図１３】図１３は、他の実施形態に係るウェアラブル装置の構成の例について説明する為の説明図である。
【図１４】図１４は、他の実施形態に係る撮像装置による連携撮影処理の例について説明する為の説明図である。
【図１５】図１５は、他の実施形態に係る撮像装置による撮像制御連携の例について説明する為の説明図である。
【図１６】図１６は、撮像制御連携の設定項目及び連携機器をユーザに選択させる処理の例について説明する為の説明図である。
【図１７】図１７は、他の実施形態に係るウェアラブル装置の動作の例について説明する為の説明図である。
【図１８】図１８は、他の実施形態に係る撮像制御連携の例について説明する為の説明図である。
【図１９】図１９は、他の実施形態に係る撮像制御連携の例について説明する為の説明図である。
【発明を実施するための形態】
【０００９】
（第１の実施形態）  
以下、図１乃至図１０を参照しながら、第１の実施形態に係る記録装置、記録装置の制御方法、記録システム、及び装着型情報処理装置について詳細に説明する。
【００１０】
図１は、記録システムとしての撮像システム１の例を示す説明図である。撮像システム１は、記録装置としての撮像装置２、及び装着型情報処理装置としてのウェアラブル装置３などを備える。
【００１１】
撮像装置２は、被写体像を撮像することにより画像データを取得するカメラである。撮像装置２は、例えば、ウェアラブル装置３と通信を行うことができる。例えば、撮像装置２及びウェアラブル装置３は、無線ＬＡＮ、Ｂｌｕｅｔｏｏｔｈ（登録商標）、または人体通信などに対応している。撮像装置２は、無線ＬＡＮ、Ｂｌｕｅｔｏｏｔｈ、または人体通信などの通信手段を用いてウェアラブル装置３と通信を行う。
【００１２】
撮像装置２は、操作に応じて撮像の為の設定の変更、及び被写体像の撮像などの動作を行う。また、撮像装置２は、ウェアラブル装置３において取得されたウェアラブル装置３の装着者の情報（例えば生体情報）をウェアラブル装置３から取得する。撮像装置２は、上記の画像データを主データとし、ウェアラブル装置３から取得した生体情報を副データとし、主データと副データとを１つのファイル（画像ファイル）としてファイル化して記録する。
【００１３】
ウェアラブル装置３は、装着者の体に装着されることによって装着者の生体情報を取得可能になる情報処理装置である。ウェアラブル装置３は、撮像装置２と通信する通信部と、ウェアラブル装置３の装着者の生体情報を取得する情報取得部と、を少なくとも備える。ウェアラブル装置３は、装着者の生体情報を取得し、撮像装置２に送信する。ウェアラブル装置３は、例えばリストバンド型、腕時計型、眼鏡型、イヤフォン型、または他の人体に装着可能な形状で構成された装置である。衣服や靴や帽子、ベルト、まくら、布団、シーツやベッド、座席などに組み込んで、直接や服などの布地等を介して人体に近接使用するものもあり、この場合、ウェアラブル機器として認識されない場合もあるが、本発明では、ハンズフリー状態で人体からやそれに近接した環境の情報を取得できるセンサ部を有した機器をウェアラブル機器として扱い、これらをカバー範囲としている。なお、本実施形態では、ウェアラブル装置３は、腕時計型の装置であるとして説明する。
【００１４】
図２は、撮像装置２の構成の例を示すブロック図である。
【００１５】
図２に示すように、撮像装置２は、レンズ１１、撮像素子１２、信号処理部１３、画像処理部１４、集音部１５、操作部１６、通信部１７、メモリＩ／Ｆ１８、及び主制御部２０を備える。
【００１６】
レンズ１１は、透過した光を撮像素子１２に結像させる。レンズ１１は、複数のレンズが組み合わされた撮像レンズと、絞り機構と、撮像レンズ及び絞り機構の動作を制御するレンズ制御部と、操作部材と、を備える。撮像レンズは、被写体からの光線を、撮像素子１２の撮像面上に結像させる。撮像レンズは、焦点距離を変更可能に構成されていてもよい。絞り機構は、開閉自在に構成され、撮像レンズを介して撮像素子に入射する光線の量をレンズ制御部の制御に基づいて調整する。レンズ制御部は、主制御部２０と通信可能に構成される。レンズ制御部は、主制御部２０からの入力、または操作部材の操作に従って、撮像レンズ及び絞り機構の動作をそれぞれ制御する。
【００１７】
撮像素子１２は、レンズ１１の後部、即ち撮像装置２の筐体の内部側に設けられる。撮像素子１２は、光電変換によって電荷を蓄える画素が複数配列されて構成された撮像面を備える。各撮像用画素の光が入射する面には、カラーフィルタが設けられている。撮像素子１２は、例えば、Charge Coupled Devices（ＣＣＤ）イメージセンサ、Complementary Metal Oxide Semiconductor（ＣＭＯＳ）イメージセンサ、または他の撮像素子により構成される。撮像素子１２は、レンズ１１を介して集光されて撮像面に結像された被写体像を光量に応じた電気信号に変換することにより、画像信号を生成する。なお、撮像素子１２の撮像面を構成する複数の画素は、平面状に配列されていてもよいし、曲面状に配列されていてもよい。
【００１８】
信号処理部１３は、撮像素子１２によって生成された画像信号を主制御部２０の制御に基づいて読み出す。信号処理部１３は、読み出した画像信号に対して主制御部２０の制御に基づいて種々の信号処理を施す。信号処理部１３は、信号処理を施した画像信号をディジタル信号の画像データに変換し、主制御部２０に入力する。
【００１９】
上記のように、レンズ１１、撮像素子１２、及び信号処理部１３が撮像部を構成する。撮像部は、レンズ１１により撮像面に結像された光を撮像素子１２が撮像することによって主データとしての画像データを取得する。また、撮像部は、スルー画として表示する為の画像データを連続的に取得する。例えば、撮像部は、撮像素子１２により生成された画像データを主制御部２０の制御に基づく周期で信号処理部１３から出力する。これにより、スルー画として表示可能な連続した複数の画像データを取得することができる。
【００２０】
画像処理部１４は、主制御部２０の制御に基づいて被写体画像に対して色補正、ガンマ(γ)補正、コントラスト補正、白黒・カラーモード処理、及びスルー画処理などの各種の画像処理を行う。また、画像処理部１４は、主制御部２０の制御に基づいて画像データをＪｐｅｇ方式で圧縮してＪｐｅｇ方式の画像データであるＪｐｅｇデータに変換する。画像処理部１４は、Ｊｐｅｇデータを主制御部２０に入力する。
【００２１】
集音部１５は、音声を集音する。例えば集音部１５は、ステレオマイクである。集音部１５は、音声をアナログの電気信号に変換し、電気信号をディジタル信号に変換することにより、ディジタルの音声データを取得する。集音部１５は、取得した音声データを主制御部２０に入力する。
【００２２】
操作部１６は、ユーザが撮像装置２の各種の操作を行うための複数の操作部材を備える。操作部材は、例えば、タッチセンサ１６ｔ、レリーズボタン、十字ボタン、電源ボタン、及び他の種々のボタン等を含む。タッチセンサ１６ｔは、例えば、抵抗膜式タッチセンサ、または静電容量式タッチセンサ等である。即ち、タッチセンサ１６ｔは、ある領域内において指定された位置を示す情報を取得する指定位置取得部である。タッチセンサ１６ｔは、後述する表示部１９の表示パネルと一体に設けられ、表示パネル上のタッチされた位置を示す信号（タッチ位置信号）を検出し、検出したタッチ位置信号を主制御部２０に入力する。
【００２３】
レリーズボタンは、ユーザが撮像装置２に対して画像を取得する為の種々の処理を指示するための操作部材である。操作部１６は、レリーズボタンが半押しされた場合に自動露出（ＡＥ）処理及び自動合焦（ＡＦ）処理などの実行の指示を主制御部２０に対して与える。また、操作部１６は、レリーズボタンが全押しされた場合に撮像部により画像を取得する撮像動作の指示を主制御部２０に対して与える。
【００２４】
十字ボタンは、ユーザが撮像装置２に対して上下左右の選択動作を指示するための操作部材である。例えば、操作部１６は、ユーザによる十字ボタンの操作に応じて種々のメニュー内での上下左右の選択動作の指示を主制御部２０に対して与える。
【００２５】
電源ボタンは、ユーザが撮像装置２の電源のＯＮＯＦＦを切り替える為の操作部材である。
【００２６】
通信部１７は、他の電子機器と通信を行う為の回路である。通信部１７は、ウェアラブル装置３と通信可能に構成されている。例えば、通信部１７は、無線ＬＡＮ、Ｂｌｕｅｔｏｏｔｈ、または人体通信などの通信方式よってウェアラブル装置３と通信を行う。通信部１７は、ウェアラブル装置３などの電子機器から送信されたデータを受けとり、受け取ったデータを主制御部２０に供給する。また、通信部１７は、主制御部２０からウェアラブル装置３などの電子機器に対して送信するデータを受けとり、受け取ったデータをウェアラブル装置３などの電子機器に対して送信する。
【００２７】
メモリＩ／Ｆ１８は、複数の接触端子を備える記録媒体Ｍを挿入可能なカードスロットと、記録媒体Ｍがカードスロットに挿入された場合に記録媒体Ｍの接触端子と電気的に接続される接触端子と、を備える。記録媒体Ｍは、例えばメモリカードである。メモリＩ／Ｆ１８は、記録媒体Ｍと主制御部２０との間でのデータの入出力を中継する。
【００２８】
表示部１９は、主制御部２０の制御に基づいて画面を表示する。表示部１９は、表示パネルと、表示パネルに画面を表示させる駆動回路と、を備える。表示パネルは、例えば液晶ディスプレイ、有機ＥＬディスプレイ、または他の画面を表示する為の表示装置である。表示パネルは、上述したタッチセンサ１６ｔが一体に組み合わされてタッチパネル（タッチスクリーン）として機能する。
【００２９】
主制御部２０は、撮像装置２の各部の動作を制御する。主制御部２０は、例えば、ウェアラブル装置３との間で通信部１７により通信を行うことにより、ウェアラブル装置３において取得された副データとしての生体情報を取得する。また、主制御部２０は、例えば、ウェアラブル装置３に対して通信部１７により制御信号を送信することができる。
【００３０】
主制御部２０は、例えばＣＰＵとメモリとを備える。主制御部２０は、例えばＣＰＵがメモリに記憶されているプログラム及び制御用のデータを読み出して実行することによって種々の機能を実現する。主制御部２０は、操作判定部２１、撮像制御部２２、表示制御部２３、主データ処理部２４、副データ処理部２５、ファイル化部２６、記録制御部２７として機能する。
【００３１】
操作判定部２１は、操作部１６から供給された操作信号の判定を行う。即ち、操作判定部２１は、操作部１６によりどのような操作が指示されたかを認識する。
【００３２】
撮像制御部２２は、撮像に関する種々の処理を制御する。例えば、撮像制御部２２は、操作信号に基づいて、撮像動作を実行するように撮像部を制御する。また、撮像制御部２２は、操作信号に基づいて、ＡＦ、ＡＥ、及びオートホワイトバランス（ＡＷＢ）などの処理と、を制御する。また、撮像制御部２２は、操作信号に基づいて、撮像設定を変更する。撮像設定は、撮像部による撮像動作、信号処理部による信号処理、及び画像処理部による画像処理に関する設定である。具体的には、撮像設定は、露出値（Ｅｖ値）、及びホワイトバランス（ＷＢ）などの設定を含む。さらに、撮像設定は、絞り値（Ｆ値）、シャッター速度（ＳＳ）、ＩＳＯ感度、ＡＦモード、記録画質、アスペクト比、ハイダイナミックレンジ（ＨＤＲ）、及び測光モードなどの設定を含んでいてもよい。
【００３３】
またさらに、撮像制御部２２は、撮像部によるスルー画として表示可能な画像データの取得を制御する。例えば、撮像制御部２２は、撮像素子１２により生成された画像データが予め設定された周期で読み出されるように信号処理部１３を制御する。これにより、撮像制御部２２は、スルー画として表示可能な連続した複数の画像データを撮像部により取得する。
【００３４】
表示制御部２３は、表示部１９による表示処理を制御する。例えば、表示制御部２３は、表示部１９に画像データを入力することにより表示部１９の表示パネルに画面を表示させる。例えば、表示制御部２３は、スルー画として表示可能な画像データを表示部１９に入力することにより、表示部１９にスルー画表示を行わせる。
【００３５】
さらに、表示制御部２３は、各種の設定情報及び撮像装置２の状態などに基づいて種々のアイコン及び文字などの表示を含むオンスクリーンディスプレイ（ＯＳＤ）を表示部１９に表示させるためのＯＳＤデータを生成する。例えば、表示制御部２３は、撮像装置２の撮影モード、各種の設定情報、バッテリー残量、撮影可能枚数及び撮影可能時間、並びにＡＦエリアなどを表示部１９の表示装置に表示させるためのＯＳＤデータを生成する。表示制御部２３は、ＯＳＤデータに基づくＯＳＤを重畳させた画像データを表示部１９に入力する。
【００３６】
主データ処理部２４は、画像ファイルを作成する際の主データに関する種々の処理を行う処理部である。主データ処理部２４は、記録用の画像ファイルのフォーマットに対応するように主データを変換する。主データ処理部２４は、撮像動作によって撮像部により取得した画像データ（主データ）を画像ファイルとして記録する為のフォーマットに変換する。例えば、画像ファイルとしてＪｐｅｇデータを記録する設定である場合、主データ処理部２４は、取得した画像データを画像処理部１４によりＪｐｅｇデータに変換する。また、例えば、画像ファイルとしてＲａｗデータを記録する設定である場合、主データ処理部２４は、取得した画像データをＲａｗデータにする。
【００３７】
副データ処理部２５は、画像ファイルを作成する際の副データに関する種々の処理を行う処理部である。副データ処理部２５は、記録用の画像ファイルのフォーマットに対応するように副データを変換する。副データ処理部２５は、ウェアラブル装置３から取得した生体情報（副データ）を画像ファイルに記録する為のフォーマットに変換する。なお、副データ処理部２５は、撮影時の撮像設定を含む撮影情報、主データとしての画像データのサムネイル、及びＧＰＳにより取得した位置情報なども併せて副データとして扱う構成であってもよい。
【００３８】
ファイル化部２６は、主データ処理部２４により処理された主データと、副データ処理部２５により処理された副データと、を１つのファイルとしてファイル化することにより、画像ファイルを生成する。また、ファイル化部２６は、副データから検索用のタグ（検索タグ）を生成し、検索タグを画像ファイルにさらに付加する構成であってもよい。
【００３９】
記録制御部２７は、画像を一時的に記録する中間バッファを備える。記録制御部２７は、ファイル化部２６によってファイル化された画像ファイルを中間バッファに記録する。記録制御部２７は、中間バッファに記録されている画像ファイルをメモリＩ／Ｆ１８に装着されている記録媒体Ｍに書き込む。
【００４０】
図３は、ウェアラブル装置３の構成の例を示す。ウェアラブル装置３は、情報取得部３２、集音部３５、操作部３６、通信部３７、記憶部３８、表示部３９、及び制御部４０を備える。
【００４１】
情報取得部３２は、連携して動作する撮像装置２が生成する画像ファイルに副データとして格納される情報を取得する。例えば、情報取得部３２は、ウェアラブル装置３が装着者の体に装着されることによって装着者の状態を示す情報（生体情報）を検出可能になるセンサである。生体情報は、例えば、装着者の心拍数、体温、歩数、脳波、及び血糖値などの情報である。情報取得部３２は、これらの情報のうちの１つ、または複数を検出する。情報取得部３２は、取得した生体情報を制御部４０に入力する。
【００４２】
集音部３５は、音声を集音する。例えば集音部３５は、ステレオマイクである。集音部３５は、音声をアナログの電気信号に変換し、電気信号をディジタル信号に変換することにより、ディジタルの音声データを取得する。集音部３５は、取得した音声データを制御部４０に入力する。
【００４３】
操作部３６は、ユーザがウェアラブル装置３の各種の操作を行うための複数の操作部材を備える。操作部３６は、ユーザによる操作部材の操作に基づいて操作信号を生成し、生成した操作信号を制御部４０に供給する。操作部３６は、タッチセンサ３６ｔをさらに備える。タッチセンサ３６ｔは、静電容量式センサ、サーモセンサ、または他の方式に基づいて位置情報を生成するデバイスである。例えば、タッチセンサ３６ｔは、表示部３９の表示パネルと一体に設けられる。タッチセンサ３６ｔは、表示パネルに表示されている画面上での操作に基づいて操作信号を生成し、制御部４０に供給する。
【００４４】
通信部３７は、他の電子機器と通信を行う為の回路である。通信部３７は、撮像装置２と通信可能に構成されている。例えば、通信部３７は、無線ＬＡＮ、Ｂｌｕｅｔｏｏｔｈ、または人体通信などの通信方式よって撮像装置２と通信を行う。通信部３７は、撮像装置２などの電子機器から送信されたデータを受けとり、受け取ったデータを制御部４０に供給する。また、通信部３７は、制御部４０から撮像装置２などの電子機器に対して送信するデータを受けとり、受け取ったデータを撮像装置２などの電子機器に対して送信する。
【００４５】
記憶部３８は、種々の情報を記憶可能な記憶媒体である。記憶部３８は、例えば、制御部４０の制御に基づいて情報取得部３２により取得した情報を記憶する。即ち、記憶部３８は、例えば、情報取得部３２により取得した生体情報を記憶する。記憶部３８は、例えば、ソリッドステイトドライブ（ＳＳＤ）などの半導体記憶装置である。また、記憶部３８は、メモリカードなどの記録媒体を挿入可能なカードスロットなどのメモリＩ／Ｆとして構成されていてもよい。
【００４６】
表示部３９は、制御部４０から入力された画像に基づいて画面を表示する。表示部３９は、表示パネルと、画像を表示パネルに表示させる為の駆動回路とを備える。表示パネルは、例えば液晶ディスプレイ、有機ＥＬディスプレイ、または他の画面を表示する為の表示装置である。表示部３９は、制御部４０から入力された画像に基づいて画面を表示パネルに表示する。表示パネルは、上述したタッチセンサ３６ｔが一体に組み合わされてタッチパネル（タッチスクリーン）として機能する。
【００４７】
制御部４０は、ウェアラブル装置３の各部の動作を制御する。制御部４０は、例えばＣＰＵとメモリとを備える。制御部４０は、例えばＣＰＵがメモリまたは記憶部３８に記憶されているプログラム、アプリケーション、及び制御用のデータを読み出して実行することによって種々の機能を実現する。制御部４０は、操作判定部４１、情報処理部４２、表示制御部４３、及び記録制御部４４として機能する。
【００４８】
操作判定部４１は、操作部３６から供給された操作信号の判定を行う。即ち、操作判定部４１は、操作部３６によりどのような操作が指示されたかを認識する。
【００４９】
情報処理部４２は、種々の情報処理を制御する。例えば、情報処理部４２は、撮像装置２との間で送受信するデータを処理する。例えば、情報処理部４２は、撮像装置２から送信された情報を解析して撮像装置２からウェアラブル装置３に対して送信された制御内容を認識する。また、情報処理部４２は、撮像装置２に対して送信するデータを撮像装置２が解析可能なフォーマットに変換する。
【００５０】
また、情報処理部４２は、情報取得部３２により取得した生体情報を処理する。例えば、情報処理部４２は、情報取得部３２により取得した生体情報を記録用のフォーマットのファイルに変換する。また、情報処理部４２は、一定期間の間に情報取得部３２により取得した生体情報を集計し、集計結果から生体情報のファイルを生成してもよい。
【００５１】
表示制御部４３は、表示部３９による表示処理を制御する。例えば、表示制御部４３は、表示部３９に画像データを入力することにより表示部３９の表示パネルに画面を表示させる。表示制御部４３は、各種の設定情報及びウェアラブル装置３の状態などに基づいて種々のアイコン及び文字などの表示を含むオンスクリーンディスプレイ（ＯＳＤ）を表示部３９に表示させるためのＯＳＤデータを生成する。表示制御部２３は、ＯＳＤデータに基づくＯＳＤを重畳させた画像データを表示部３９に入力する。
【００５２】
記録制御部４４は、情報処理部４２により変換された生体情報のファイルを記録する。
【００５３】
図４及び図５は、撮像装置２の動作について説明する為のフローチャートである。図４は、撮像装置２のモード選択に関する処理について説明する為のフローチャートである。
【００５４】
撮像装置２の主制御部２０は、撮影モードが選択されているか否か（ステップＳ１１）、連携撮影モードが選択されているか否か（ステップＳ１２）、再生モードが選択されているか否か（ステップＳ１３）、検索モードが選択されているか否か（ステップＳ１４）、をそれぞれ判定する。
【００５５】
ステップＳ１１で撮影モードが選択されていると判定した場合（ステップＳ１１、ＹＥＳ）、主制御部２０は、撮影処理を実行し（ステップＳ１５）、ステップＳ１９に移行する。撮影処理は、撮像装置２が操作に応じて撮像動作を実行して画像データを記録する処理である。
【００５６】
ステップＳ１２で連携撮影モードが選択されていると判定した場合（ステップＳ１２、ＹＥＳ）、主制御部２０は、連携撮影処理を実行し（ステップＳ１６）、ステップＳ１９に移行する。連携撮影処理は、撮像装置２が操作に応じて撮像動作を実行して主データとしての画像データを取得するとともに、連携対象の機器（連携機器）であるウェアラブル装置３から副データとしての生体情報を取得し、取得した主データと副データとを１つの画像ファイルとして記録する処理である。
【００５７】
ステップＳ１３で再生モードが選択されていると判定した場合（ステップＳ１３、ＹＥＳ）、主制御部２０は、再生処理を実行し（ステップＳ１７）、ステップＳ１９に移行する。再生処理は、撮像装置２が操作に応じて記録媒体Ｍに記録されているファイルを再生して表示部１９に表示する処理である。
【００５８】
ステップＳ１４で検索モードが選択されていると判定した場合（ステップＳ１４、ＹＥＳ）、主制御部２０は、検索処理を実行し（ステップＳ１８）、ステップＳ１９に移行する。検索処理は、撮像装置２が検索タグに応じた画像ファイルを記録媒体Ｍから検索する処理である。
【００５９】
撮像装置２は、画像ファイルを記録する際に検索タグを生成し、生成した検索タグを画像ファイルに付加する。このように生成された画像ファイルが記録媒体Ｍに記録されている場合に、撮像装置２は、検索タグを取得し、取得した検索タグと一致する検索タグが付加されている画像ファイルを検索する。撮像装置２は、例えば、集音部１５により取得した音声から検索タグを取得する。また、撮像装置２は、例えば、ウェアラブル装置３から検索タグを取得する構成であってもよい。
【００６０】
また、撮像装置２は、例えば、複数の検索タグを取得した場合、複数の検索タグの中から操作部１６の操作に応じて検索処理に用いる検索タグを決定する構成であってもよい。またさらに、撮像装置２は、予め設定された複数の検索タグの中から操作部１６の操作に応じて検索処理に用いる検索タグを決定する構成であってもよい。このように生体情報に基づくタグを生成し、検索に利用することによって、画像ファイルの分類に役立てることができる。
【００６１】
ステップＳ１４で検索モードが選択されていないと判定した場合（ステップＳ１４、ＮＯ）、主制御部２０は、動作を終了するか否か判断する（ステップＳ１９）。主制御部２０は、動作を終了しない場合（ステップＳ１９、ＮＯ）、ステップＳ１１に戻る。また、主制御部２０は、動作を終了する場合（ステップＳ１９、ＹＥＳ）、図４の処理を終了する。
【００６２】
図５は、図４のステップＳ１６に示した連携撮影処理について説明する為のフローチャートである。
【００６３】
主制御部２０は、撮像部により画像データを取得し、取得した画像データを表示部１９に表示させるライブビューを実行する（ステップＳ２１）。
【００６４】
主制御部２０は、連携機器と接続済みか否か判定する（ステップＳ２２）。連携機器は、副データを取得可能であり撮像装置２と通信可能な機器であり、本実施形態ではウェアラブル装置３である。即ち、主制御部２０は、通信可能な状態のウェアラブル装置３があるか否か判定する。連携対象の機器と接続済みであると判定した場合（ステップＳ２２、ＹＥＳ）、主制御部２０は、ステップＳ２８の処理に移行する。
【００６５】
主制御部２０は、連携機器と接続済みではないと判定した場合（ステップＳ２２、ＮＯ）、連携機器が有るか否か判定する（ステップＳ２３）。例えば、主制御部２０は、所定の信号を通信可能な範囲に送信し、レスポンスに応じて連携機器が有るか否か判定する。連携機器が無いと判定した場合（ステップＳ２３、ＮＯ）、主制御部２０は、ステップＳ２１の処理に移行する。
【００６６】
連携機器が有ると判定した場合（ステップＳ２３、ＹＥＳ）、主制御部２０は、連携機器に対して接続要求を送信する。例えば主制御部２０は、ウェアラブル装置３との接続が確立されていない状態で連携機器としてウェアラブル装置３を検出した場合、ウェアラブル装置３に対して接続要求を送信する。ウェアラブル装置３は、撮像装置２からの接続要求を受信した場合、撮像装置２の接続を承認するか否か判定し、承認する場合に通信の種々の取り決めを撮像装置２との間で行うことにより、撮像装置２との接続を確立する。なお、以下連携機器はウェアラブル装置３であるとして説明する。
【００６７】
主制御部２０は、ウェアラブル装置３との間で接続が確立したか否か判定する（ステップＳ２５）。ウェアラブル装置３との間で接続が確立していないと判定した場合（ステップＳ２５、ＮＯ）、主制御部２０は、ステップＳ２１の処理に移行する。
【００６８】
主制御部２０は、ウェアラブル装置３との間で接続が確立したと判定した場合（ステップＳ２５、ＹＥＳ）、主制御部２０は、ウェアラブル装置３において取得可能な生体情報の一覧をウェアラブル装置３から取得する（ステップＳ２６）。例えば、主制御部２０は、ウェアラブル装置３が接続確立時に撮像装置２に対して送信したウェアラブル装置３において取得可能な生体情報の一覧を取得する。また、主制御部２０は、ウェアラブル装置３に対して要求を送信し、要求に対するレスポンスを受信することによりウェアラブル装置３において取得可能な生体情報の一覧を取得する構成であってもよい。主制御部２０は、ウェアラブル装置３の種別を認識し、ウェアラブル装置３の種別に応じてネットワーク上からウェアラブル装置３において取得可能な生体情報の一覧を検索して取得する構成であってもよい。
【００６９】
主制御部２０は、記録する生体情報を選択する（ステップＳ２７）。例えば、主制御部２０は、ウェアラブル装置３において取得可能な生体情報から、操作に応じて記録する生体情報を選択する。具体的には、主制御部２０は、ウェアラブル装置３において取得可能な生体情報の一覧に基づいて、図６に示すように取得する生体情報をユーザに選択させる為の複数のボタン６１を表示部１９に表示させる。主制御部２０は、タッチセンサ１６ｔによるボタン６１の操作に応じて生体情報を選択する。また、例えば、主制御部２０は、ウェアラブル装置３において取得可能な生体情報を全て選択する構成であってもよい。また、例えば、主制御部２０は、ウェアラブル装置３において取得可能な生体情報のうち、予め設定された生体情報を選択する構成であってもよい。
【００７０】
次に主制御部２０は、撮影動作の指示が有るか否か判定する（ステップＳ２８）。上記したように、主制御部２０は、操作部１６のレリーズボタンが全押しされた場合に撮影動作を実行する指示が入力されたと判定する。主制御部２０は、撮影動作の指示が無いと判定した場合（ステップＳ２８、ＮＯ）、ステップＳ２１の処理に移行する。
【００７１】
主制御部２０は、撮影動作の指示が有ると判定した場合（ステップＳ２８、ＹＥＳ）、撮像動作を実行することにより、主データとしての画像データを取得する（ステップＳ２９）。
【００７２】
主制御部２０は、撮影動作を実行した場合、生体情報取得要求をウェアラブル装置３に対して送信する（ステップＳ３０）。生体情報取得要求は、生体情報を撮像装置２に送信することをウェアラブル装置３に対して要求する情報である。生体情報取得要求は、送信を要求する生体情報を示す情報を含む。主制御部２０は、ステップＳ２７で選択された生体情報を示す情報を生体情報取得要求に付加する。これにより、主制御部２０は、ステップＳ２７で選択された生体情報の送信をウェアラブル装置３に対して要求する。ウェアラブル装置３は、生体情報の取得要求を受信した場合、撮像装置２に生体情報を送信する。
【００７３】
主制御部２０は、生体情報の取得要求をウェアラブル装置３に対して送信した後、ウェアラブル装置３から送信される副データとしての生体情報を取得する（ステップＳ３１）。また、主制御部２０は、撮影時の撮像設定などを含む撮影情報を副データとしてさらに取得する構成であってもよい。また、主制御部２０は、画像データから生成されたサムネイルを副データとしてさらに取得する構成であってもよい。また、主制御部２０は、撮像時にＧＰＳにより生成した位置情報を副データとしてさらに取得する構成であってもよい。
【００７４】
主制御部２０は、主データと、副データとを１つのファイルとしてファイル化することにより、画像ファイルを生成する（ステップＳ３２）。
【００７５】
主制御部２０は、ファイル化された画像ファイルをメモリＩ／Ｆ１８に装着されている記録媒体Ｍに記録し（ステップＳ３３）、連携撮影処理を終了する。
【００７６】
図７は、撮像装置２と連携して動作する連携機器としてのウェアラブル装置３の動作について説明する為のフローチャートである。
【００７７】
ウェアラブル装置３の制御部４０は、情報取得部３２を制御することによりウェアラブル装置３の装着者の生体情報を取得する（ステップＳ４１）。取得可能な生体情報が複数である場合、制御部４０は、複数の生体情報のうち予め設定されたものを取得する構成であってもよい。
【００７８】
制御部４０は、撮像装置２と接続済みか否か判定する（ステップＳ４２）。撮像装置２と接続済みであると判定した場合（ステップＳ４２、ＹＥＳ）、制御部４０は、ステップＳ４６の処理に移行する。
【００７９】
撮像装置２と接続済みではないと判定した場合（ステップＳ４２、ＮＯ）、制御部４０は、撮像装置２からの接続要求が有るか否か判定する（ステップＳ４３）。制御部４０は、撮像装置２からの接続要求が無いと判定した場合（ステップＳ４３、ＮＯ）、ステップＳ４１の処理に移行する。
【００８０】
制御部４０は、撮像装置２からの接続要求が有ると判定した場合（ステップＳ４３、ＹＥＳ）、撮像装置２との接続を確立する（ステップＳ４４）。制御部４０は、通信の種々の取り決めを撮像装置２との間で行うことにより、撮像装置２との接続を確立する。なお、制御部４０は、撮像装置２と接続を確立するか否かの認証処理を行う構成であってもよい。例えば、制御部４０は、接続要求を送信した撮像装置２が予め連携対象として設定された機器である場合、撮像装置２の接続を承認する。また、制御部４０は、予め設定されたＰＩＮなどの認証コードを撮像装置２との間で送受信することにより接続要求を送信した撮像装置２の接続を承認するか否か判定する構成であってもよい。
【００８１】
制御部４０は、撮像装置２との接続が確立すると、自身が取得可能な生体情報の一覧を撮像装置２に送信する（ステップＳ４５）。なお、制御部４０は、ステップＳ４１で取得している生体情報の一覧を撮像装置２に送信する構成であってもよい。
【００８２】
制御部４０は、生体情報取得要求が有るか否か判定する（ステップＳ４６）。即ち、制御部４０は、撮像装置２から送信された生体情報取得要求を受信したか否か判定する。制御部４０は、生体情報取得要求が無いと判定した場合（ステップＳ４６、ＮＯ）、ステップＳ４１の処理に移行する。
【００８３】
制御部４０は、生体情報取得要求が有ると判定した場合（ステップＳ４６、ＹＥＳ）、生体情報取得要求で要求された生体情報を撮像装置２に送信する（ステップＳ４７）。制御部４０は、すでに情報取得部３２により取得されて記憶部３８に格納されている生体情報を撮像装置２に送信する構成であってもよいし、新たに情報取得部３２により生体情報を取得して撮像装置２に送信する構成であってもよい。また、制御部４０は、ある期間の間に情報取得部３２により取得した生体情報を集計し、集計結果を生体情報として撮像装置２に送信する構成であってもよい。
【００８４】
制御部４０は、生体情報を送信すると、動作を終了するか否か判定する（ステップＳ４８）。制御部４０は、動作を終了しない場合（ステップＳ４８、ＮＯ）、ステップＳ４１に戻る。また、制御部４０は、動作を終了する場合（ステップＳ４８、ＹＥＳ）、図７の処理を終了する。
【００８５】
上記したように、撮像装置２は、連携機器としてのウェアラブル装置３との接続を確立し、ウェアラブル装置３で取得可能な副データ（生体情報）の一覧を取得する。撮像装置２は、ファイル化して記録する副データを選択し、選択した副データを示す取得要求（生体情報取得要求）を送信する。ウェアラブル装置３は、撮像装置２から取得要求を受信した場合、取得要求で指定された副データを撮像装置２に送信する。撮像装置２は、記録指示（撮影指示）に応じて主データ（画像データ）を取得し、ウェアラブル装置３から送信された副データ（生体情報）を取得し、主データと副データとを１つの記録用ファイルとしてファイル化して記録する。これにより、撮像装置２は、記録指示に応じて取得した主データと、連携機器としてのウェアラブル装置３から取得した副データと１つのファイルとして記録することができる。
【００８６】
図８は、画像ファイル７１の例について説明する為の説明図である。画像ファイル７１は、主データ７２と副データ７３とを有する。主データ７２は、例えば画像データ７４を含む。副データ７３は、例えば撮影情報７５、生体情報７６、サムネイル７７、及び位置情報７８を含む。
【００８７】
また、ウェアラブル装置３は、生体情報を撮像装置２に送信する場合に自身を識別可能な情報（機器情報）を撮像装置に送信する構成であってもよい。機器情報は、例えばウェアラブル装置３の種類を識別可能な情報である。また、機器情報は、例えばウェアラブル装置３の個体毎に割り振られた情報であってもよい。例えば、機器情報は、ＭＡＣアドレスなどが用いられる。撮像装置２の主制御部２０は、ウェアラブル装置３から生体情報とともに取得した機器情報を生体情報７６と対応付けて副データ７３として画像ファイル７１を生成する構成であってもよい。即ち、主制御部２０は、主データと副データとを１つの記録用ファイルとしてファイル化して記録する場合、副データの供給元を示す情報として機器情報を記録用ファイルに付加する。これにより、記録用ファイルから副データの供給元を特定することができる。即ち、撮像装置２は、本実施形態のように主データ７２としての画像データ７４と、副データ７３としての生体情報７６とを含む画像ファイル７１から、生体情報７６を供給したウェアラブル装置３を識別することができる。
【００８８】
また、上記したように、生体情報は、ある期間の間に取得した生体情報に対して情報処理を行った結果であってもよい。例えば、生体情報は、ある期間の間に取得した生体情報の平均値、中間値、または合計値など、如何なるものであってもよい。またさらに、ウェアラブル装置３は、取得した生体情報と予め設定された基準値との比較結果を撮像装置２に生体情報として送信する構成であってもよい。またさらに、ウェアラブル装置３は、装着者から取得した生体情報を用いて上記の基準値を算出する構成であってもよい。これにより、撮像装置２は、装着者の状態と基準の状態との差を示す生体情報を取得することができる。
【００８９】
また、上記の実施形態では、ウェアラブル端末の持つ、身体、または衣服に取り付け、無意識に長時間利用できる等のメリットを活かして比較的簡単に取得しやすい、ユーザの姿勢、睡眠、立ち居振る舞い、そこから得られる生活情報、食事、通勤、業務、休息など一日のイベント情報、心拍数、血圧、脈波、血流量、体温、歩数、脳波、視線位置、瞬き、及び血糖値などの生体情報を副データとして扱う構成について説明したが、この構成に限定されない。副データとしてファイル化する情報は如何なるものであってもよい。特に無意識に長時間利用可能であれば、その時間変化などが判定できるメリットがある。時間変化から、平均値も求められ、状況に応じた基準なども判定でき、そこからの変化や、異常値などの判定が無理なくできるメリットがある。いつもより興奮した、といったデータが判定可能で、設定された基準値との比較データが重要である場合も多々あるが、時々、手にとって利用する機器よりも、これを扱いやすいといえるメリットは大きい。この基準値は、しばらく装着して得られた値の単純な時間平均でもよいが、生体データである以上、生活のリズムも反映した方が正確で、この状態における基準値といった感じで、図１０のような時間帯を分類した結果を踏まえて「冬の朝食後の血圧の平均と比べて」といった感じで反映させてもよい。もちろん、年齢や性別等から得られた一般的な平均値を基準にしてもよい。その旨（基準値とその根拠）を記録して、さらに得られたデータを記録しても良いし、総合的に判断した結果を記録してもよい。こうした複雑な処理は、一部、別機器などの補助があってもよく、その計算場所は、どの機器であってもよい。これに対して、手に持って使う機器は、その機器そのものの設定データや、その設定に到るまでの過程やその機器周辺の環境データを取得するには向いている。また、ハンズフリーには出来ないが、手で操作しやすいので、より具体的に迅速な操作が行えるという重要なメリットもある。
【００９０】
また、例えば、ウェアラブル装置３は、気圧、気温、湿度、水圧、及びＧＰＳにより取得した位置情報などの環境情報を取得し、副データとして撮像装置２に送信する構成であってもよい。環境情報は、ウェアラブル装置３を装着したユーザの周囲の環境を示す情報であるが、ウェアラブルであるがゆえに、ハンズフリー状態で無意識に装着できていることから、長時間の計測やその変化や、体感に近いデータ取得が可能である。撮像装置２は、このような環境情報をウェアラブル装置３から取得し、取得した環境情報を副データとして主データとしての画像データとともにファイル化することにより、画像データを取得した時の周囲の環境を記録として残すことができる。例えば、湿度、及び気温から気候を推測することができる。また、気圧から撮影地点の高度を推測することができる。また、水圧から撮影地点の水深を推測することができる。また、位置情報から撮影地点の地図上での座標を推測することができる。撮像装置２は、画像ファイルの再生時に、副データに基づいて撮影時の環境などを推測して画像データと共に表示する構成であってもよい。またさらに、撮像装置２は、上記したような生体情報または環境情報に基づいて検索タグを生成する構成であってもよい。
【００９１】
図９は、画像ファイルに含まれる副データの活用の例について説明する為の説明図である。ここでは、副データとしてある期間における気圧及び心拍数が記録されているとする。撮像装置２は、例えば図９に示されるように、副データ７３に基づいて気圧から推測される高度を示すグラフ９１と、心拍数を示すグラフ９２とを表示部１９に表示することができる。さらに、撮像装置２は、心拍数または高度の値と、画像ファイルのサムネイルとを対応付けて表示部１９に表示することができる。図９の例によると、心拍数と対応付けてサムネイル７７ａ及びサムネイル７７ｂとがそれぞれ表示されている。このように撮像装置２は、画像ファイルを再生する場合に副データを用いて撮影時のウェアラブル装置３の装着の状態、及び周囲の環境などを示す情報を画像と共に表示することにより、ユーザにより種々の情報を提供することができる。なお、図９の例では、時間軸を基準として高度を示すグラフ９１と、心拍数を示すグラフ９２とを表示する例について説明したが、この構成には限定されない。撮像装置２は、画像と共に副データに基づく情報を表示するものであれば、どのような形式でこれらを表示するものであってもよい。
【００９２】
また、上記した実施形態では、撮像装置２は、ウェアラブル装置３において取得した副データを取得して主データとともにファイル化して記録する構成であるとして説明したが、この構成に限定されない。撮像装置２は、ウェアラブル装置３により生成した情報に画像データを対応付けることが可能な状態で画像データを記録する構成であってもよい。例えば、ウェアラブル装置３は、装着者の立つ／歩く、座る、または横たわるなどの姿勢を検出する構成であってもよい。さらに、ウェアラブル装置３は、検出した姿勢を時間を基準としてプロットすることにより、図１０に示すような装着者のある期間における姿勢の変化を示すグラフ９３を生成する構成であってもよい。またさらに、ウェアラブル装置３は、生成したグラフを図示されないサーバ装置にアップロードする構成であってもよい。
【００９３】
撮像装置２は、画像データを取得した場合に、ウェアラブル装置３において生成されたグラフに取得した画像データを対応付ける為の情報をウェアラブル装置３から副データとして取得し、主データとしての画像データと共にファイル化して記録する。さらに、撮像装置２は、画像ファイルをサーバ装置にアップロードする。この場合に、撮像装置２からアップロードされた画像ファイルの副データに基づいて、ウェアラブル装置３からアップロードされたグラフに画像ファイルを対応付けてグラフとともに記録する処理をサーバ装置に行わせる構成であってもよい。なお、画像ファイルをグラフに対応付ける処理は、撮像装置２が画像ファイルをウェアラブル装置３に送信することによってウェアラブル装置３に行わせる構成であってもよい。
【００９４】
またさらに、撮像装置２は、副データとして生体情報または環境情報などが記録された画像ファイルをサーバ装置にアップロードすることによって、サーバ装置に副データに基づく記録を生成させる構成であってもよい。例えば、撮像装置２は、画像データの記録時に上記したようなウェアラブル装置３の装着者の姿勢の検出結果を副データとしてウェアラブル装置３から取得して画像ファイルを記録し、記録した画像ファイルをサーバ装置にアップロードすることによりウェアラブル装置３の装着者の姿勢と画像データとが対応付けられた行動記録をサーバ装置に生成させることができる。この結果、図１０に示されるように、ウェアラブル装置３の装着者の姿勢を示すグラフ９３に画像ファイル７１ａ、及び画像ファイル７１ｂがそれぞれ対応付けられた行動記録を残すことができる。
【００９５】
またさらに、異なる日付のウェアラブル装置３の装着者の行動記録を比較することにより、普段と異なる行動をウェアラブル装置３の装着者が取ったことをサーバ装置またはウェアラブル装置３が検出する構成であってもよい。これにより、サーバ装置またはウェアラブル装置３は、普段とは異なるイベントを検出することが可能になる。この結果、撮像装置２は、このように検出されたイベントに画像データを対応付けて記録させることが可能になる。
【００９６】
また、ウェアラブル装置３は、ウェアラブル装置３の装着者による普段と異なる行動を検出した場合に、撮像装置２に対してイベント検出通知を送信する構成であってもよい。撮像装置２は、ウェアラブル装置３からイベント検出通知を受け取った場合に、ユーザに撮影を促す動作を行う構成であってもよい。例えば、撮像装置２は、表示部１９に所定の情報を表示させることによってユーザに撮影を促す動作を行う構成であってもよい。また、例えば、撮像装置２は、図示されないスピーカなどから所定の音声を出力させることによってユーザに撮影を促す動作を行う構成であってもよい。
【００９７】
また、撮像装置２は、被写体にウェアラブル装置３を装着させ、被写体を撮像装置２により撮像することにより、被写体を映した画像データと、ウェアラブル装置３により被写体から取得した生体情報と、を１つの画像ファイルとしてファイル化することができる。これにより、撮像装置２は、例えば、スポーツ選手によるトレーニングの負荷の分析などに用いることが可能な画像ファイルを取得することができる。
【００９８】
また、撮像装置２は、連携機器としての医療機器などにより取得された生体情報と、例えば患者（または患者の患部）などを撮像した画像データとを１つの画像ファイルとしてファイル化することにより、カルテに付加して記録することが有用な画像ファイルを取得することができる。
【００９９】
ウェアラブル装置３は、撮像装置２から生体情報取得要求を受信した場合に生体情報を撮像装置２に対して送信する構成であるとして説明したが、この構成に限定されない。ウェアラブル装置３は、撮像装置２との間で接続が確立された場合に定期的に生体情報を撮像装置２に対して送信する構成であってもよい。このような構成によると、撮像装置２は、ウェアラブル装置３との接続が確立された後、操作に応じて取得する生体情報を選択し、選択した生体情報を示す情報をウェアラブル装置３に送信することによって、ウェアラブル装置３から撮像動作の実行前に定期的に生体情報を取得する。撮像装置２は、ウェアラブル装置３から定期的に生体情報を取得する構成である場合、ある期間の間に取得した生体情報に対して情報処理を行った結果を副データとして画像データとともにファイル化する構成であってもよい。また、例えば、撮像装置２は、ある期間の間に取得した生体情報の平均値、中間値、または合計値など、如何なるものを生体情報として扱う構成であってもよい。またさらに、撮像装置２は、取得した生体情報と予め設定された基準値との比較結果を副データとして画像データとともにファイル化する構成であってもよい。なお、撮像装置２は、ウェアラブル装置３から取得した生体情報を用いて上記の基準値を算出する構成であってもよい。
【０１００】
またさらに、撮像装置２は、ウェアラブル装置３から取得した副データに応じて撮影制御を行う構成であってもよい。例えば、撮像装置２は、ウェアラブル装置３から環境情報を取得することにより天候を予測し、予測した天候に応じてＷＢを制御する構成であってもよい。また、撮像装置２は、ウェアラブル装置３から生体情報を取得することによりウェアラブル装置３の装着者の状態を予測し、予測した状態に応じてＷＢなどを制御することにより、ウェアラブル装置３の装着者の状態を画像に反映させることができる。
【０１０１】
なお、上記した実施形態では、撮像装置２は、ウェアラブル装置３から生体情報を取得する構成であると説明したが、この構成に限定されない。撮像装置２は、自身も操作者の生体情報を取得する構成であってもよい。このように構成された撮像装置２は、自身が取得した生体情報に自身の機器情報を対応付け、ウェアラブル装置３から生体情報にウェアラブル装置３から取得した機器情報を対応付けてファイル化することによって、各生体情報の供給元を明らかにすることができる。
【０１０２】
（第２の実施形態）  
以下、図１１乃至図１９を参照しながら、第２の実施形態に係る記録装置、記録装置の制御方法、記録システム、及び装着型情報処理装置について詳細に説明する。
【０１０３】
図１１は、記録システムとしての撮像システム１Ａの例を示す説明図である。撮像システム１Ａは、記録装置としての撮像装置２Ａ、及び装着型情報処理装置としてのウェアラブル装置３Ａ及び４Ａなどを備える。
【０１０４】
撮像装置２Ａは、被写体像を撮像することにより画像データを取得するカメラである。撮像装置２Ａは、ウェアラブル装置３Ａまたは４Ａにおける撮像動作を制御することができる点が撮像装置２と異なる。
【０１０５】
ウェアラブル装置３Ａ及び４Ａは、装着者の体に装着されることによって装着者の生体情報を取得可能になる情報処理装置である。ウェアラブル装置３Ａ及び４Ａは、撮像装置２と通信する通信部と、ウェアラブル装置３Ａの装着者の生体情報を取得する情報取得部と、画像を取得する撮像部（カメラ）と、画像を表示する表示部と、を少なくとも備える。ウェアラブル装置３Ａ及び４Ａは、例えばリストバンド型、腕時計型、眼鏡型、イヤフォン型、または他の人体に装着可能な形状で構成された装置である。なお、本実施形態では、ウェアラブル装置３Ａは、時計型であり、ウェアラブル装置４は、眼鏡型の表示装置（ＦＭＤ：Ｆａｃｅ  Ｍｏｕｎｔ  Ｄｉｓｐｌａｙ）であるとして説明する。
【０１０６】
図１２は、撮像装置２Ａの構成の例を示すブロック図である。  
図１２に示すように、撮像装置２Ａは、レンズ１１、撮像素子１２、信号処理部１３、画像処理部１４、集音部１５、操作部１６、通信部１７、メモリＩ／Ｆ１８、及び主制御部２０Ａを備える。
【０１０７】
主制御部２０Ａは、撮像装置２Ａの各部の動作を制御する。主制御部２０Ａは、連携対象のウェアラブル装置における撮像動作を制御する撮像制御連携部２８Ａを備える点が主制御部２０と異なる。
【０１０８】
撮像制御連携部２８Ａは、撮像装置２における撮像設定の変更をウェアラブル装置３Ａまたは４Ａにも反映させる処理を撮像制御連携として行う。例えば、撮像制御連携部２８Ａは、撮像制御部２２により撮像設定が変更されたことを検知し、変更後の撮像設定に応じて制御信号（連携制御信号）を生成し、生成した連携制御信号を連携対象のウェアラブル装置に送信する。ここで「設定に応じて」と記載したのは、必ずしも、設定にぴったり合わせることではなく、撮影対象物よりも周囲環境記録を重視した仕様のシステムもあるので、少し制御に反映させるようなさじ加減の制御でもよい。また、画像の結果を画像に反映させるだけでなく、画像という３Ｄ情報を得やすく、指定しやすいもので直感的な操作が他の情報取得に反映できる点も重要である。また、手で操作する機器ならではの繊細なこだわり操作によって、手で操作しにくい機器（ウェアラブルとか遠隔とか）にそのこだわりを反映させられるメリットもある。つまり、手動の設定に従って被写体を撮像して画像データを取得する撮像部と情報取得部を備える連携機器と通信する通信部と、ＧＵＩなども含めて、前記撮像設定を変更する撮像制御部と、前記撮像設定の変更に従って前記連携機器における前記情報取得部の情報取得特性を制御する制御連携部とを具備する撮像装置という切り口もある。情報取得とは、画像の指定によって音声の収音特性を変えたり、温度測定の範囲を特定したりできるからである。また、情報取得部は生体情報取得でもよく、この場合は、手動操作機器の制御に応じて、感度やタイミングなど測定の特性を変えるようにしてもよい。つまり、手動操作機器の操作によっては、機器で得られる画像と関連づける情報によって、もっと細かい判定が必要になることもあれば、逆に粗いタイミングで良い場合もある。例えば手動操作で間欠的に画像取得する場合は、そのタイミングで生体情報を取得してもよい。
【０１０９】
また、撮像制御連携部２８Ａは、撮像部により取得したスルー画としての画像データの一部の領域（拡大領域）の画像をウェアラブル装置３Ａまたは４Ａに表示させる処理を撮像制御連携として行う。例えば、撮像制御連携部２８Ａは、撮像部により取得したスルー画としての画像データに拡大領域を設定し、設定した拡大領域の画像を切り出し、切り出した画像（拡大画像）をウェアラブル装置３Ａまたは４Ａに送信する。
【０１１０】
図１３は、ウェアラブル装置３Ａ及び４Ａの構成の例を示す。なお、説明を簡略化する為にウェアラブル装置３Ａ及び４Ａを同じ構成として説明する。ウェアラブル装置３Ａ及び４Ａは、カメラ３１Ａ、情報取得部３２、集音部３５、操作部３６、通信部３７、記憶部３８、表示部３９、及び制御部４０Ａを備える。即ち、ウェアラブル装置３Ａ及び４Ａは、カメラ３１Ａ及び制御部４０Ａの構成がウェアラブル装置３と異なる。
【０１１１】
カメラ３１Ａは、ウェアラブル装置３Ａ及び４Ａに設けられたカメラである。カメラ３１Ａは、光を電気信号に変換する撮像素子と、被写体からの光を被写体像として撮像素子に結像させるレンズとを備える。カメラ３１Ａは、制御部４０Ａの制御に基づいて光学系により受光した光を撮像素子により電気信号に変換し、画像データを取得する。
【０１１２】
制御部４０Ａは、ウェアラブル装置３Ａ及び４Ａの各部の動作を制御する。制御部４０Ａは、連携対象の撮像装置２Ａから送信される信号（連携制御信号）に応じて撮像設定を変更する点、及び連携対象の撮像装置２Ａから送信される画像（拡大画像）に応じて表示を行う点が制御部４０と異なる。制御部４０Ａは、操作判定部４１、情報処理部４２、表示制御部４３Ａ、記録制御部４４、及び撮像制御部４５Ａとして機能する。
【０１１３】
表示制御部４３Ａは、表示部３９による表示処理を制御する。例えば、表示制御部４３は、表示部３９に画像データを入力することにより表示部３９の表示パネルに画面を表示させる。表示制御部４３は、各種の設定情報及びウェアラブル装置３の状態などに基づいて種々のアイコン及び文字などの表示を含むオンスクリーンディスプレイ（ＯＳＤ）を表示部３９に表示させるためのＯＳＤデータを生成する。表示制御部２３は、ＯＳＤデータに基づくＯＳＤを重畳させた画像データを表示部３９に入力する。さらに、表示制御部４３Ａは、撮像装置２Ａから送信された画像（拡大画像）を表示部３９に表示する。即ち、表示制御部４３Ａは、撮像装置２Ａにより取得した画像データの一部の領域の画像を表示部３９に表示させる。
【０１１４】
撮像制御部４５Ａは、撮像に関する種々の処理を制御する。例えば、撮像制御部４５Ａは、操作信号に基づいて、撮像動作を実行するようにカメラ３１Ａを制御する。また、撮像制御部４５Ａは、撮像装置２の撮像制御部２２と同様に操作信号に基づいて種々の撮像設定を変更する。例えば、撮像制御部４５Ａは、操作信号に基づいて、露出値（Ｅｖ値）、及びホワイトバランス（ＷＢ）などの設定を含む。さらに、撮像設定は、絞り値（Ｆ値）、シャッター速度（ＳＳ）、ＩＳＯ感度、ＡＦモード、記録画質、アスペクト比、ハイダイナミックレンジ（ＨＤＲ）、及び測光モードなどの撮像設定を変更する。
【０１１５】
またさらに、撮像制御部４５Ａは、撮像装置２Ａから送信された連携制御信号を取得し、連携制御信号に基づいて上記の撮像設定を変更する。即ち、撮像制御部４５Ａは、自身の撮像設定を撮像装置２Ａにおける撮像設定と同様の設定に変更する。なお、撮像装置２Ａの撮像部における撮像設定と、カメラ３１Ａを制御する為の撮像設定とで設定項目が一致しない場合、撮像制御部４５Ａは、一致する項目のみ撮像装置２Ａの撮像設定に合わせて変更する構成であってもよい。また、撮像装置２Ａの撮像部における撮像設定と、カメラ３１Ａを制御する為の撮像設定とで設定項目が一致しない場合、撮像制御部４５Ａは、受信した連携制御信号に対して演算を行い自身の撮像設定の設定項目に対応する設定に変更する構成であってもよい。
【０１１６】
図１４及び図１５は、撮像装置２Ａの動作について説明する為のフローチャートである。なお、撮像装置２Ａのモード選択に関する処理は、図４に示した例と同様であるので説明を省略する。
【０１１７】
図１４は、図４のステップＳ１６に示した連携撮影処理の他の例について説明する為のフローチャートである。
【０１１８】
主制御部２０Ａは、撮像部により画像データを取得し、取得した画像データを表示部１９に表示させるライブビューを実行する（ステップＳ５１）。
【０１１９】
主制御部２０Ａは、連携機器と接続済みか否か判定する（ステップＳ５２）。連携機器は、副データを取得可能であり撮像装置２Ａと通信可能な機器であり、本実施形態ではウェアラブル装置３Ａまたはウェアラブル装置４Ａである。即ち、主制御部２０Ａは、通信可能な状態のウェアラブル装置３Ａまたはウェアラブル装置４Ａがあるか否か判定する。連携対象の機器と接続済みであると判定した場合（ステップＳ５２、ＹＥＳ）、主制御部２０Ａは、ステップＳ５８の処理に移行する。
【０１２０】
主制御部２０Ａは、連携機器と接続済みではないと判定した場合（ステップＳ５２、ＮＯ）、連携機器が有るか否か判定する（ステップＳ５３）。例えば、主制御部２０Ａは、所定の信号を通信可能な範囲に送信し、レスポンスに応じて連携機器が有るか否か判定する。連携機器が無いと判定した場合（ステップＳ５３、ＮＯ）、主制御部２０Ａは、ステップＳ５１の処理に移行する。
【０１２１】
連携機器が有ると判定した場合（ステップＳ５３、ＹＥＳ）、主制御部２０Ａは、連携機器に対して接続要求を送信する。例えば主制御部２０Ａは、ウェアラブル装置４Ａとの接続が確立されていない状態で連携機器としてウェアラブル装置４Ａを検出した場合、ウェアラブル装置４Ａに対して接続要求を送信する。ウェアラブル装置４Ａは、撮像装置２Ａからの接続要求を受信した場合、撮像装置２Ａの接続を承認するか否か判定し、承認する場合に通信の種々の取り決めを撮像装置２Ａとの間で行うことにより、撮像装置２Ａとの接続を確立する。なお、主制御部２０Ａは、連携機器を操作に応じて選択する構成であってもよい。例えば、主制御部２０Ａは、図１６に示すように連携機器をユーザに選択させる為の複数のボタン６２を表示部１９に表示させる。主制御部２０Ａは、タッチセンサ１６ｔによるボタン６２の操作に応じて連携機器を選択する。また、例えば、主制御部２０Ａは、連携可能な全ての機器を連携機器として選択する構成であってもよい。また、例えば、主制御部２０Ａは、主制御部２０Ａは、連携可能な全ての機器のうち、予め設定された機器を連携機器として選択する構成であってもよい。なお、以下連携機器はウェアラブル装置４Ａであるとして説明する。
【０１２２】
主制御部２０Ａは、ウェアラブル装置４Ａとの間で接続が確立したか否か判定する（ステップＳ５５）。ウェアラブル装置４Ａとの間で接続が確立していないと判定した場合（ステップＳ５５、ＮＯ）、主制御部２０Ａは、ステップＳ５１の処理に移行する。
【０１２３】
主制御部２０Ａは、ウェアラブル装置４Ａとの間で接続が確立したと判定した場合（ステップＳ５５、ＹＥＳ）、主制御部２０Ａは、ウェアラブル装置４Ａにおいて取得可能な生体情報の一覧をウェアラブル装置４Ａから取得する（ステップＳ５６）。例えば、主制御部２０Ａは、ウェアラブル装置４Ａが接続確立時に撮像装置２Ａに対して送信したウェアラブル装置４Ａにおいて取得可能な生体情報の一覧を取得する。また、主制御部２０Ａは、ウェアラブル装置４Ａに対して要求を送信し、要求に対するレスポンスを受信することによりウェアラブル装置４Ａにおいて取得可能な生体情報の一覧を取得する構成であってもよい。
【０１２４】
主制御部２０Ａは、記録する生体情報を選択する（ステップＳ５７）。例えば、主制御部２０Ａは、ウェアラブル装置４Ａにおいて取得可能な生体情報から、操作に応じて記録する生体情報を選択する。具体的には、主制御部２０Ａは、ウェアラブル装置４Ａにおいて取得可能な生体情報の一覧に基づいて、図１６に示すように取得する生体情報をユーザに選択させる為の複数のボタン６１を表示部１９に表示させる。主制御部２０Ａは、タッチセンサ１６ｔの操作に応じてボタン６１が選択されたか否かを認識することにより、ユーザの操作に応じた生体情報を選択する。また、例えば、主制御部２０Ａは、ウェアラブル装置４Ａにおいて取得可能な生体情報を全て選択する構成であってもよい。また、例えば、主制御部２０Ａは、ウェアラブル装置４Ａにおいて取得可能な生体情報のうち、予め設定された生体情報を選択する構成であってもよい。
【０１２５】
次に主制御部２０Ａは、撮影制御連携を実行するか否か判定する（ステップＳ５８）。例えば主制御部２０Ａは、撮影制御連携を実行するか否かの設定を有し、この設定に基づいて撮影制御連携を実行するか否か判定する。また、主制御部２０Ａは、接続が確立した連携機器が撮影制御連携に対応しているか否かを判定し、接続が確立した連携機器が撮影制御連携に対応している場合に撮影制御連携を実行すると判定してもよい。
【０１２６】
主制御部２０Ａは、撮影制御連携を実行すると判定した場合（ステップＳ５８、ＹＥＳ）、後述する撮影制御連携を実行する（ステップＳ５９）。また、主制御部２０Ａは、撮影制御連携を実行しないと判定した場合（ステップＳ５８、ＮＯ）、ステップＳ６０の処理に移行する。
【０１２７】
主制御部２０Ａは、撮影動作の指示が有るか否か判定する（ステップＳ６０）。上記したように、主制御部２０Ａは、操作部１６のレリーズボタンが全押しされた場合に撮影動作を実行する指示が入力されたと判定する。主制御部２０Ａは、撮影動作の指示が無いと判定した場合（ステップＳ６０、ＮＯ）、ステップＳ５１の処理に移行する。
【０１２８】
主制御部２０Ａは、撮影動作の指示が有ると判定した場合（ステップＳ６０、ＹＥＳ）、撮像動作を実行することにより、主データとしての画像データを取得する（ステップＳ６１）。
【０１２９】
主制御部２０Ａは、撮影動作を実行した場合、生体情報取得要求をウェアラブル装置４Ａに対して送信する（ステップＳ６２）。ウェアラブル装置４Ａは、生体情報の取得要求を受信した場合、撮像装置２Ａに生体情報を送信する。
【０１３０】
主制御部２０Ａは、生体情報の取得要求をウェアラブル装置４Ａに対して送信した後、ウェアラブル装置４Ａから送信される副データとしての生体情報を取得する（ステップＳ６３）。また、主制御部２０Ａは、撮影時の撮像設定などを含む撮影情報を副データとしてさらに取得する構成であってもよい。また、主制御部２０Ａは、画像データから生成されたサムネイルを副データとしてさらに取得する構成であってもよい。また、主制御部２０Ａは、撮像時にＧＰＳにより生成した位置情報を副データとしてさらに取得する構成であってもよい。
【０１３１】
主制御部２０Ａは、主データと、副データとを１つのファイルとしてファイル化することにより、画像ファイルを生成する（ステップＳ６４）。
【０１３２】
主制御部２０Ａは、ファイル化された画像ファイルをメモリＩ／Ｆ１８に装着されている記録媒体Ｍに記録し（ステップＳ６５）、連携撮影処理を終了する。
【０１３３】
図１５は、図１４のステップＳ５９における撮像制御連携について説明する為のフローチャートである。
【０１３４】
主制御部２０Ａは、撮像設定を変更する操作入力が有るか否か判定する（ステップＳ７１）。主制御部２０Ａは、撮像設定を変更する操作入力が無い場合（ステップＳ７１、ＮＯ）、ステップＳ７５の処理に移行する。
【０１３５】
主制御部２０Ａは、撮像設定を変更する操作入力が有る場合（ステップＳ７１、ＹＥＳ）、操作信号に基づいて、撮像設定を変更する（ステップＳ７２）。
【０１３６】
主制御部２０Ａは、ステップＳ７２で変更された撮像設定に基づいて、連携機器を制御する為の連携制御信号を生成する（ステップＳ７３）。主制御部２０Ａは、ステップＳ７２における撮像設定の変更と同様の変更をウェアラブル装置４Ａにも反映させる為の連携制御信号を生成する。主制御部２０Ａは、ウェアラブル装置４Ａの仕様に応じて反映させる設定項目を適宜選択する構成であってもよい。また、主制御部２０Ａは、操作に応じてウェアラブル装置４Ａに変更を反映させる設定項目を選択する構成であってもよい。例えば、図１６に示されるように、図１６に示すように撮像制御連携を行う設定項目をユーザに選択させる為の複数のボタン６３を表示部１９に表示させる。主制御部２０Ａは、タッチセンサ１６ｔによりボタン６３の操作に応じて、撮像制御連携を行う設定項目を選択する。
【０１３７】
主制御部２０Ａは、生成した連携制御信号をウェアラブル装置４Ａに送信する（ステップＳ７４）。
【０１３８】
次に、主制御部２０Ａは、拡大画像を出力するか否か判定する（ステップＳ７５）。例えば主制御部２０Ａは、拡大画像を出力するか否かの設定を有し、この設定に基づいて拡大画像を出力するか否か判定する。また、主制御部２０Ａは、接続が確立した連携機器が表示部を備えているか否かを判定し、連携機器が表示部を備えている場合に拡大画像を出力すると判定してもよい。主制御部２０Ａは、拡大画像を出力しないと判定した場合（ステップＳ７５、ＮＯ）、撮像制御連携を終了する。
【０１３９】
主制御部２０Ａは、拡大画像を出力すると判定した場合（ステップＳ７５、ＹＥＳ）、ステップＳ５１で取得した画像データに拡大領域を設定し、拡大領域の画像を切り出して拡大画像を取得し、拡大画像をウェアラブル装置４Ａに送信し（ステップＳ７６）、撮像制御連携を終了する。
【０１４０】
図１７は、撮像装置２Ａと連携して動作する連携機器の動作について説明する為のフローチャートである。ここでは、撮像装置２Ａと連携して動作する連携機器としてのウェアラブル装置４Ａの動作について説明する。
【０１４１】
ウェアラブル装置４Ａの制御部４０Ａは、情報取得部３２を制御することによりウェアラブル装置４Ａの装着者の生体情報を取得する（ステップＳ８１）。取得可能な生体情報が複数である場合、制御部４０Ａは、複数の生体情報のうち予め設定されたものを取得する構成であってもよい。
【０１４２】
制御部４０Ａは、撮像装置２Ａと接続済みか否か判定する（ステップＳ８２）。撮像装置２Ａと接続済みであると判定した場合（ステップＳ８２、ＹＥＳ）、制御部４０Ａは、ステップＳ８７の処理に移行する。
【０１４３】
撮像装置２Ａと接続済みではないと判定した場合（ステップＳ８２、ＮＯ）、制御部４０Ａは、撮像装置２Ａからの接続要求が有るか否か判定する（ステップＳ８３）。制御部４０Ａは、撮像装置２Ａからの接続要求が無いと判定した場合（ステップＳ８３、ＮＯ）、ステップＳ８１の処理に移行する。
【０１４４】
制御部４０Ａは、撮像装置２Ａからの接続要求が有ると判定した場合（ステップＳ８３、ＹＥＳ）、撮像装置２Ａとの接続を確立する（ステップＳ８４）。
【０１４５】
制御部４０Ａは、撮像装置２Ａとの接続が確立すると、自身が取得可能な生体情報の一覧を撮像装置２Ａに送信する（ステップＳ８５）。なお、制御部４０Ａは、ステップＳ８１で取得している生体情報の一覧を撮像装置２Ａに送信する構成であってもよい。
【０１４６】
制御部４０Ａは、連携制御信号を受信したか否か判定する（ステップＳ８６）。制御部４０Ａは、連携制御信号を受信していないと判定した場合（ステップＳ８６、ＮＯ）、ステップＳ８８の処理に移行する。
【０１４７】
制御部４０Ａは、連携制御信号を受信したと判定した場合（ステップＳ８６、ＹＥＳ）、連携制御信号に基づいて撮像設定を変更する（ステップＳ８７）。即ち、制御部４０Ａは、自身の撮像設定を撮像装置２Ａにおける撮像設定と同様の設定に変更する。
【０１４８】
次に制御部４０Ａは、拡大画像を受信したか否か判定する（ステップＳ８８）。制御部４０Ａは、拡大画像を受信していないと判定した場合（ステップＳ８８、ＮＯ）、ステップＳ９０の処理に移行する。
【０１４９】
制御部４０Ａは、拡大画像を受信したと判定した場合（ステップＳ８８、ＹＥＳ）、拡大画像を表示部３９に表示する（ステップＳ８９）。即ち、制御部４０Ａは、撮像装置２Ａにおいてスルー画表示されている画像データの一部を拡大表示する。
【０１５０】
制御部４０Ａは、生体情報取得要求が有るか否か判定する（ステップＳ９０）。即ち、制御部４０Ａは、撮像装置２Ａから送信された生体情報取得要求を受信したか否か判定する。制御部４０Ａは、生体情報取得要求が無いと判定した場合（ステップＳ９０、ＮＯ）、ステップＳ８１の処理に移行する。
【０１５１】
制御部４０Ａは、生体情報取得要求が有ると判定した場合（ステップＳ９０、ＹＥＳ）、生体情報取得要求で要求された生体情報を撮像装置２Ａに送信する（ステップＳ９１）。制御部４０Ａは、すでに情報取得部３２により取得されて記憶部３８に格納されている生体情報を撮像装置２Ａに送信する構成であってもよいし、新たに情報取得部３２により生体情報を取得して撮像装置２Ａに送信する構成であってもよい。また、制御部４０Ａは、ある期間の間に情報取得部３２により取得した生体情報を集計し、集計結果を生体情報として撮像装置２Ａに送信する構成であってもよい。
【０１５２】
制御部４０Ａは、生体情報を送信すると、動作を終了するか否か判定する（ステップＳ９２）。制御部４０Ａは、動作を終了しない場合（ステップＳ９２、ＮＯ）、ステップＳ８１に戻る。また、制御部４０Ａは、動作を終了する場合（ステップＳ９２、ＹＥＳ）、図１７の処理を終了する。
【０１５３】
上記したように、撮像装置２Ａは、撮像設定を変更する操作が行われた場合、撮像設定を変更するとともに、この撮像設定の変更と同様の制御を接続が確立したウェアラブル装置４Ａに行わせる為の連携制御信号を生成し、生成した連携制御信号をウェアラブル装置４Ａに送信する。ウェアラブル装置４Ａは、撮像装置２Ａから取得した連携制御信号に基づいて、カメラ３１Ａを制御する為の撮像設定を変更する。これにより撮像装置２Ａは、自身と同様の制御を連携機器としてのウェアラブル装置４Ａに実行させることができる。
【０１５４】
このような構成によると、例えば図１８に示されるように、撮像装置２Ａは、適正露出ではない画像データ８１を取得した際の撮像設定から適正露出の画像データ８２を取得可能にする場合の撮像設定の変更を、ウェアラブル装置４Ａにも反映させる。これにより、ウェアラブル装置４Ａは、適正露出ではない画像データ８３を取得していた撮像設定から、適正露出の画像データ８４を取得可能な設定に撮像設定を変更することができる。これにより、撮像装置２Ａは、一般的に操作部材の少ない、または操作し辛いウェアラブル装置におけるカメラ３１Ａの撮像設定を適正に制御することができる。この結果、ウェアラブル装置３Ａの利便性を高めることができる。
【０１５５】
また、上記したように、撮像装置２Ａは、スルー画としての画像データから拡大画像を切り出し、切り出した拡大画像を接続が確立したウェアラブル装置３Ａまたは４Ａ（ここではウェアラブル装置３Ａとして説明）に送信する。ウェアラブル装置３Ａは、撮像装置２Ａから取得した拡大画像を表示部３９に表示する。これにより撮像装置２Ａは、画角の一部の画像を連携機器としてのウェアラブル装置３Ａに表示させることができる。
【０１５６】
このような構成によると、例えば図１９に示されるように、撮像装置２Ａは、スルー画としての画像データ上に拡大領域６５を設定し、拡大領域６５の画像を切り出してウェアラブル装置３Ａに表示させる。これにより、撮像装置２Ａは、スルー画の一部を拡大してウェアラブル装置３Ａに表示させることができる。ウェアラブル装置３Ａは、上記したように時計型である為、ユーザが撮像装置２Ａにより合焦の為の操作をする際に撮像装置２Ａの近くに位置することが予想される。そこで、例えば、撮像装置２Ａは、画像データにおける合焦位置（ＡＦエリア）の近傍に拡大領域６５を設定することにより、合焦結果の確認に有用な拡大画像をウェアラブル装置３Ａに表示させることができる。
【０１５７】
なお、撮像装置２Ａの主制御部２０Ａは、例えば操作部１６の操作に応じて拡大領域６５の位置及びサイズを変更する構成であってもよい。例えば、撮像装置２Ａの主制御部２０Ａは、例えばタッチセンサ１６ｔによるタッチ操作により拡大領域６５の位置及びサイズを変更する構成であってもよい。
【０１５８】
なお、上記の実施形態では、撮像装置２Ａは、操作に応じて撮像設定を変更した場合に撮像設定の変更をウェアラブル装置４Ａにも反映させる為の連携制御信号を生成し送信するとして説明したがこの構成に限定されない。例えば、撮像装置２Ａは、ＡＥ処理などの自動処理により撮像設定を変更した場合に撮像設定の変更をウェアラブル装置４Ａにも反映させる為の連携制御信号を生成し送信する構成であってもよい。
【０１５９】
また、撮像装置２Ａは、ＡＦ処理により決定した被写体距離（レンズ１１の主点から合焦する被写体までの距離）をウェアラブル装置４Ａに連携制御信号として送信することにより、ウェアラブル装置４ＡのＡＦ処理に撮像装置２Ａで決定した被写体距離を反映させる構成であってもよい。
【０１６０】
また、撮像装置２Ａは、図１４のステップＳ６０において撮像を実行すると判定した場合に、撮像の実行をウェアラブル装置４Ａに指示する為の信号を生成してウェアラブル装置４Ａに送信する構成であってもよい。この場合、ウェアラブル装置４Ａは、撮像装置２Ａからの信号に応じて撮像を実行する。これにより、撮像装置２Ａとウェアラブル装置４Ａとは、ほぼ同時に画像データをそれぞれ取得することができる。
【０１６１】
またさらに、ウェアラブル装置４Ａは、取得した画像データ及び機器情報を副データとして撮像装置２Ａに送信する構成であってもよい。このような構成によると撮像装置２Ａは、生体情報、環境情報、及びウェアラブル装置４Ａによる撮像された画像データを副データとしてウェアラブル装置４Ａから取得することができる。これにより、撮像装置２Ａは、自身が取得した主データとしての画像データと、ウェアラブル装置４Ａから取得した副データとしての生体情報、環境情報、及び画像データと、を１つの画像ファイルとしてファイル化して記録することができる。
【０１６２】
なお、ウェアラブル装置４Ａは、動画撮影を実行する構成であってもよい。ウェアラブル装置４Ａは、動画撮影中に撮像装置２Ａから連携制御信号を受信した場合に動画撮影の為の撮像設定を連携制御信号に応じて変更する構成であってもよい。
【０１６３】
またさらに、ウェアラブル装置４Ａは、動画撮影中に撮像装置２Ａから撮像の実行を指示する信号を受信した場合に撮像している動画にチャプターを挿入する構成であってもよい。
【０１６４】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１６５】
このような機器、システムは、検査やレポート、エビデンス資料作成時に、特定の情報を、そのとき（あるいは、までに）ユーザが取った行動や、測定環境などと共に、情報記録できるので、様々な産業分野で使用可能である。画像データと書いたところを、音声データとか、その他のセンサデータなどと書き換えて、情報取得、記録の分野に応用できることは言うまでもない。
【０１６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１６７】
１…撮像システム、２…撮像装置、３…ウェアラブル装置、４…ウェアラブル装置、１１…レンズ、１３…信号処理部、１４…画像処理部、１５…集音部、１６…操作部、１６ｔ…タッチセンサ、１７…通信部、１９…表示部、２０…主制御部、２１…操作判定部、２２…撮像制御部、２３…表示制御部、２４…主データ処理部、２５…副データ処理部、２６…ファイル化部、２７…記録制御部、２８Ａ…撮像制御連携部、３１Ａ…カメラ、３２…情報取得部、３５…集音部、３６…操作部、３６ｔ…タッチセンサ、３７…通信部、３８…記憶部、３９…表示部、４０…制御部、４１…操作判定部、４２…情報処理部、４３…表示制御部、４３Ａ…表示制御部、４４…記録制御部、４５Ａ…撮像制御部。
【図１】
2020014239.tif 000003
【図２】
2020014239.tif 000004
【図３】
2020014239.tif 000005
【図４】
2020014239.tif 000006
【図５】
2020014239.tif 000007
【図６】
2020014239.tif 000008
【図７】
2020014239.tif 000009
【図８】
2020014239.tif 000010
【図９】
2020014239.tif 000011
【図１０】
2020014239.tif 000012
【図１１】
2020014239.tif 000013
【図１２】
2020014239.tif 000014
【図１３】
2020014239.tif 000015
【図１４】
2020014239.tif 000016
【図１５】
2020014239.tif 000017
【図１６】
2020014239.tif 000018
【図１７】
2020014239.tif 000019
【図１８】
2020014239.tif 000020
【図１９】
2020014239.tif 000021
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
連携機器と通信する通信部と、
主データを取得する第１の取得部と、
前記連携機器から副データを取得する第２の取得部と、
前記連携機器において取得可能な前記副データの一覧から前記第２の取得部が取得する前記副データを選択するためのボタンを表示させる制御部と、
を具備する装置。
【請求項２】
前記第２の取得部は、前記副データと共に前記連携機器を識別する為の機器情報を取得し、
前記制御部は、前記主データに前記機器情報を付加する請求項１に記載の装置。
【請求項３】
前記制御部は、前記副データと予め設定された基準値との比較結果と、前記主データと、を対応付ける請求項１に記載の装置。
【請求項４】
前記制御部は、所定期間の間に取得された副データに対して所定の演算が行われた演算結果と、前記主データと、を対応付ける請求項１に記載の装置。
【請求項５】
前記制御部は、所定期間の間に取得された副データに基づいて前記基準値を算出する請求項３に記載の装置。
【請求項６】
前記制御部は、前記連携機器における前記副データの取得時の特性の切り替えを制御する請求項１に記載の装置。
【請求項７】
連携機器と通信する通信部と、
主データを取得する第１の取得部と、
前記連携機器から副データを取得する第２の取得部と、
前記副データに基づいて生成された検索タグを前記主データに付加し、検索タグを取得し、取得した前記検索タグと一致する前記検索タグが付加された前記主データを検索する検索部と、
を具備する装置。
【請求項８】
連携機器と通信する通信部と、
主データを取得する第１の取得部と、
前記連携機器から副データを取得する第２の取得部と、
前記主データと前記副データとを対応付ける制御部と、
前記第１の取得部は、前記主データとして画像データを取得し、
前記第２の取得部は、前記連携機器が取得した前記連携機器の装着者の状態を示す生体情報と、前記連携機器の装着者の周囲の環境を示す環境情報と、の少なくとも１つ以上を前記副データとして取得する装置。
【請求項９】
前記生体情報は、心拍数、体温、歩数、脳波、または血糖値である請求項８に記載の装置。
【請求項１０】
前記環境情報は、気圧、気温、湿度、水圧、または位置情報である請求項８に記載の装置。
【請求項１１】
連携機器と通信する通信部を具備する装置の制御方法であって、
主データを取得し、
前記連携機器において取得可能な副データの一覧を取得し、
前記一覧から取得する前記副データを選択するためのボタンを表示させる装置の制御方法。
【請求項１２】
装着型情報処理装置と、前記装着型情報処理装置と連携する装置と、を有するシステムであって、
前記装着型情報処理装置は、
前記装置と通信する第１の通信部と、
副データを取得する第１の取得部と、
前記副データを前記装置に供給する供給部と、
を具備し、
前記装置は、
前記装着型情報処理装置と通信する第２の通信部と、
主データを取得する第２の取得部と、
前記装着型情報処理装置から前記副データを取得する第３の取得部と、
前記装着型情報処理装置において取得可能な前記副データの一覧から前記第２の取得部が取得する前記副データを選択するためのボタンを表示させる制御部と、
を具備するシステム。
【請求項１３】
前記第１の取得部は、前記装着型情報処理装置の装着者の状態を示す生体情報と、前記装着型情報処理装置の装着者の周囲の環境を示す環境情報と、の少なくとも１つ以上を前記副データとして取得し、
前記第２の取得部は、前記主データとして画像データを取得し、
前記制御部は、前記主データと前記副データとを対応付ける請求項１２に記載のシステム。
【請求項１４】
連携機器と通信する通信部を具備する装置の制御方法であって、
主データを取得し、
前記連携機器から副データを取得し、
前記副データに基づいて生成された検索タグを前記主データに付加し、
検索タグを取得し、取得した前記検索タグと一致する前記検索タグが付加された前記主データを検索する、
装置の制御方法。
【請求項１５】
連携機器と通信する通信部を具備する装置の制御方法であって、
主データとして画像データを取得し、
前記連携機器から、前記連携機器が取得した前記連携機器の装着者の状態を示す生体情報と、前記連携機器の装着者の周囲の環境を示す環境情報と、の少なくとも１つ以上を副データとして取得し、
前記主データと前記副データとを対応付ける、
装置の制御方法。
【請求項１６】
連携機器と通信する通信部を具備する装置によって実行されるプログラムであって、
前記装置に、
主データを取得させ、
前記連携機器において取得可能な副データの一覧を取得させ、
前記一覧から取得する前記副データを選択するためのボタンを表示させ、
前記連携機器から副データを取得させる、
プログラム。
【請求項１７】
連携機器と通信する通信部を具備する装置によって実行されるプログラムであって、
前記装置に、
主データを取得させ、
前記連携機器から副データを取得させ、
前記副データに基づいて生成された検索タグを前記主データに付加させ、
検索タグを取得し、取得した前記検索タグと一致する前記検索タグが付加された前記主データを検索させる、
プログラム。
【請求項１８】
連携機器と通信する通信部を具備する装置によって実行されるプログラムであって、
前記装置に、
主データとして画像データを取得させ、
前記連携機器から、前記連携機器が取得した前記連携機器の装着者の状態を示す生体情報と、前記連携機器の装着者の周囲の環境を示す環境情報と、の少なくとも１つ以上を副データとして取得させ、
前記主データと前記副データとを対応付ける、
プログラム。
【手続補正３】
【補正対象書類名】明細書
【補正対象項目名】０００１
【補正方法】変更
【補正の内容】
【０００１】
本発明は、装置、装置の制御方法、システム、及びプログラムに関する。
【手続補正４】
【補正対象書類名】明細書
【補正対象項目名】０００５
【補正方法】変更
【補正の内容】
【０００５】
本発明は、高い利便性を有する装置、装置の制御方法、システム、及びプログラムを提供することを目的とする。
【手続補正５】
【補正対象書類名】明細書
【補正対象項目名】０００６
【補正方法】変更
【補正の内容】
【０００６】
一実施形態に係る装置は、連携機器と通信する通信部と、主データを取得する第１の取得部と、前記連携機器から副データを取得する第２の取得部と、前記連携機器において取得可能な前記副データの一覧から前記第２の取得部が取得する前記副データを選択するためのボタンを表示させる制御部と、を具備する。
【手続補正６】
【補正対象書類名】明細書
【補正対象項目名】０００７
【補正方法】変更
【補正の内容】
【０００７】
高い利便性を有する装置、装置の制御方法、システム、及びプログラムを提供することができる。